(57)【要約】【課題】従来のホワイトバランス制御方法では、映像の輝度変化に対して一定のＲ（赤）、Ｇ（緑） 、Ｂ（青）の輝度比率で制御しているため、映像の輝度の変化に対して目標とするホワイトバランスからずれてしまう。【解決手段】明るさ、色度検出装置を用い、映し出される映像のＲ（赤）、Ｇ（緑） 、Ｂ（青）の三刺激値を複数点で測定し取得する（ＬＣＤパネルのＶ-Ｔ特性を三刺激値で取得する） 。測定点と測定点の中間は直線補完する。  目標の輝度率特性を得るために、Ｇ（緑）のＹ刺激値を代表として、Ｇ（緑）のＹ刺激値が目標の輝度率特性となるように演算し、得られた三刺激値からガンマ補正値を得る。さらに目標の色度値ｘ、ｙを得るために、演算にてＲ（赤）、Ｂ（青）の三刺激値を求めＧ（緑）と同様に、Ｒ（赤）、Ｂ（青）のガンマ補正値を得る。【選択図】図１
2009177569.tif 000002
【特許請求の範囲】
【請求項１】
映像信号を映し出し表示する映像表示部と、
ホワイトバランス制御に用いる映像信号を生成し、前記映像表示部に出力する入力映像信号を出力する映像信号制御部と、
前記スクリーンに投射された出力映像信号を三刺激値として出力する、もしくは三刺激値に変換できるデータを出力する光出力検出部と、
この光出力検出部から得られた三刺激値、もしくは光出力検出部から得られたデータを三刺激値に変換したデータを用い、Ｒ(赤)、Ｇ(緑)、Ｂ(青)のガンマ補正値を算出し、目標のホワイトバランスを制御するホワイトバランス制御部と、
このホワイトバランス制御部で生成されたＲ(赤)、Ｇ(緑)、Ｂ(青)のガンマ補正値を記憶するガンマ補正値記憶装置部と、
前記目標のホワイトバランスと、目標の輝度率特性とを記憶させておく目標値記憶装置部と、
を備えた液晶型映像表示装置。
【請求項２】
前記映像表示部は光源と、
この光源からの照明光と入力映像信号を合成して映像情報に変換する映像変換部と、
この映像変換部からの出力信号が投射されるスクリーンにより構成される、
請求項１に記載の液晶型映像表示装置。
【請求項３】
映像信号制御部から映像表示部に入力映像信号を出力する第１の工程と、
表示映像から三刺激値を複数ポイント、離散的に測定し取得する第２の工程と、
Ｇ(緑)の三刺激値のうちＹ刺激値を直線補完し、目標の輝度率特性に変換し、Ｇ(緑)のガンマ補正値を演算する第３の工程と、
上記、Ｇ(緑)の特定の諧調におけるＧ(緑)の三刺激値に対して、目標のホワイトバランスになるR(赤)とB(青)の三刺激値を直線補完して演算し、その三刺激値からＲ(赤)とＢ(青)のガンマ補正値を演算する第４の工程と、
求めたＲ(赤)、Ｇ(緑)、Ｂ(青)のガンマ補正値を記憶装置に記憶する第５の工程により
ホワイトバランスを制御するホワイトバランス制御方法。
【請求項４】
映像信号制御部から映像表示部に入力映像信号を出力する第１の工程と、
表示射映像から三刺激値を複数ポイント、離散的に測定し取得する第２の工程と、
Ｇ(緑)の三刺激値のうちＹ刺激値を直線補完し、目標の輝度率特性に変換し、Ｇ(緑)のガンマ補正値を演算する第３の工程と、
上記、Ｇ(緑)の特定の諧調におけるＧ(緑)の三刺激値と、測定した複数のＲ(赤)とＢ(青)の三刺激値の組合せの中から目標のホワイトバランスに近い組合せを選択する、第４の工程と、
上記、選択されたＲ(赤)とＢ(青)の測定ポイントとその隣接のポイントとの三刺激値を直線補完して、Ｇ(緑)の特定の諧調におけるＧ(緑)の三刺激値に対して、目標のホワイトバランスになるＲ(赤)とＢ(青)の三刺激値を演算し、その三刺激値からＲ(赤)とＢ(青)のガンマ補正値を演算する第５の工程と、
求めたＲ(赤)、Ｇ(緑)、Ｂ(青)のガンマ補正値を記憶装置に記憶する第６の工程により
ホワイトバランスを制御するホワイトバランス制御方法。
【発明の詳細な説明】
【技術分野】
【０００１】
本発明は、液晶パネルを使用し、カラー映像を映し出す液晶型映像表示装置とそのホワイトバランス制御方法に関するものである。
【背景技術】
【０００２】
従来のホワイトバランス制御方法は、液晶型映像表示装置自体がホワイトバランス調整のための信号発生装置を持ち、その信号を用いて調整を行う。
調整方法は、目標のホワイトバランスになるための、Ｒ（赤）、Ｇ（緑）、Ｂ（青）の輝度比率を予め求めておき、前記調整のための信号を投射して、Ｒ（赤）、Ｇ（緑）、Ｂ（青）の輝度比率が目標の比率になるように調整を行う。（例えば、特許文献１参照。）。
【特許文献１】特開２００５−５７６４７号公報
【発明の開示】
【発明が解決しようとする課題】
【０００３】
前記従来のホワイトバランス制御方法では、Ｒ（赤）、Ｇ（緑）、Ｂ（青）の輝度比率でホワイトバランスを制御しているが、このホワイトバランスは輝度に応じて色温度が変化するため、固定のＲ（赤）、Ｇ（緑）、Ｂ（青）の輝度比率で調整するだけでは、映像の輝度変化に対して、目標とするホワイトバランスからずれてしまう。  
本発明の液晶型映像表示装置は、映像の輝度がどのように変化しても、目標のホワイトバランスに調整できる液晶型映像表示装置を提供することを目的とする。
【課題を解決するための手段】
【０００４】
この目的を達成するために本発明の液晶型映像表示装置は、
映像信号を映し出し表示する映像表示部と
ホワイトバランス制御に用いる映像信号を生成し、前記映像表示部に出力する入力映像信号を出力する映像信号制御部と
前記スクリーンに投射された出力映像信号を三刺激値として出力する、もしくは三刺激値に変換できるデータを出力する光出力検出部と
この光出力検出部から得られた三刺激値、もしくは光出力検出部から得られたデータを三刺激値に変換したデータを用い、Ｒ（赤）、Ｇ（緑）、Ｂ（青）のガンマ補正値を算出し、目標のホワイトバランスを制御するホワイトバランス制御部と
このホワイトバランス制御部で生成されたＲ（赤）、Ｇ（緑）、Ｂ（青）のガンマ補正値を記録するガンマ補正値記憶装置部と
前記目標のホワイトバランスと、目標の輝度率特性とを記録させておく目標値記録装置部によりホワイトバランスの制御を行うものである。これにより所期の目的を達成することが出来る。
【発明の効果】
【０００５】
以上のように本発明によれば、本発明の液晶型映像表示装置は、
明るさ、色度検出装置を用い、映し出される映像のＲ（赤）、Ｇ（緑） 、Ｂ（青）の三刺激値を複数点で測定し取得する（ＬＣＤパネルのＶ-Ｔ特性を三刺激値で取得する） 。測定点と測定点の中間は直線補完する。目標の輝度率特性を得るために、Ｇ（緑）のＹ刺激値を代表として、Ｇ（緑）のＹ刺激値が目標の輝度率特性となるように演算し、得られた三刺激値からガンマ補正値を得る。さらに目標の色度値ｘ、ｙを得るために、演算にてＲ（赤）、Ｂ（青）の三刺激値を求めＧ（緑）と同様に、Ｒ（赤）、Ｂ（青）のガンマ補正値を得る。この方法によってホワイトバランスを制御することにより、映像の輝度の変化があってもホワイトバランスが、目標とするホワイトバランスからからずれない液晶型映像表示装置を提供することができる。
【発明を実施するための最良の形態】
【０００６】
以下に、本発明の液晶型映像表示装置の実施の形態を図面とともに詳細に説明する。
（実施の形態１）
実施の形態１では具体的なホワイトバランスの調整・制御について説明する。
【０００７】
図１は、本発明の液晶型映像表示装置の構成図を示す。
【０００８】
本発明の液晶型映像表示装置では、
映像信号を映し出し表示する映像表示部２０に映像信号が検知できる位置に光出力検出部５が設置されている。
【０００９】
光出力検出部５とは、光の三刺激値、もしくは三刺激値に変換可能な光の情報、例えば色度値と輝度など、を測定できるセンサー素子である。この光出力検出部５に対して任意の信号を投射することができる映像信号制御部４があり、この映像信号制御部４では、光出力検出部５に対して映像のホワイトバランス、輝度を制御するために必要な映像信号を生成し映像表示部２０に表示される。
ホワイトバランスを制御するために必要な映像信号は、最大輝度を示すための白映像信号をはじめ、最小輝度を示すための黒映像信号、Ｒ（赤）、Ｇ（緑）、Ｂ（青）それぞれの最大輝度を示すためのＲ（赤）、Ｇ（緑）、Ｂ（青）それぞれの映像信号、また、Ｒ（赤）、Ｇ（緑）、Ｂ（青）それぞれの任意の輝度を示すためのＲ（赤）、Ｇ（緑）、Ｂ（青）それぞれの映像信号、さらにＲ（赤）、Ｇ（緑）、Ｂ（青）それぞれの任意の輝度を示すためのＲ（赤）、Ｇ（緑）、Ｂ（青）それぞれの映像信号の組合せで構成される任意の色の映像信号を映像信号制御部４で生成、映像表示部２０に表示される。
【００１０】
この映像信号は光出力検出部５からこの映像信号に応じた三刺激値、もしくは三刺激値に変換可能な情報が出力される。
【００１１】
この情報をホワイトバランス制御部６が受け取り、目標値記憶装置部８に予め記録されたホワイトバランス、輝度情報と比較され、映像のホワイトバランス、輝度を制御するための情報が算出される。この算出された映像の色、輝度を制御するための情報をガンマ補正値と呼び、Ｒ（赤）、Ｇ（緑）、Ｂ（青）それぞれのガンマ補正値が存在する。ガンマ補正値はガンマ補正値記憶装置部７に記録され、テレビジョン信号などを表示する際、映像信号制御部４で使用される。このことにより、本発明の液晶型映像表示装置は、輝度がどのように変化しても、目標のホワイトバランスを手に入れることが出来る。
【００１２】
図２に同様に本発明の液晶型映像表示装置の構成図を示す。
光源１を備え、
この光源１からの照明光は投射のためにＲ（赤）、Ｇ（緑）、Ｂ（青）に分光される。
【００１３】
この分光された３原色の光と、映像信号制御部４での映像信号が映像変換部２において合成され、映像情報出力としてスクリーン３に投射される。
スクリーン３には、スクリーンに投射される映像信号が検知できる位置に光出力検出部５が設置されている。
【００１４】
光出力検出部５とは、光の三刺激値、もしくは三刺激値に変換可能な光の情報、例えば色度値と輝度など、を測定できるセンサー素子である。
この光出力検出部５に対して任意の信号を投射することができる映像信号制御部４があり、この映像信号制御部４では、光出力検出部５に対して映像のホワイトバランス、輝度を制御するために必要な映像信号を生成し映像変換部２を通して投射される。
ホワイトバランスを制御するために必要な映像信号は、最大輝度を示すための白映像信号をはじめ、最小輝度を示すための黒映像信号、Ｒ（赤）、Ｇ（緑）、Ｂ（青）それぞれの最大輝度を示すためのＲ（赤）、Ｇ（緑）、Ｂ（青）それぞれの映像信号、また、Ｒ（赤）、Ｇ（緑）、Ｂ（青）それぞれの任意の輝度を示すためのＲ（赤）、Ｇ（緑）、Ｂ（青）それぞれの映像信号、さらにＲ（赤）、Ｇ（緑）、Ｂ（青）それぞれの任意の輝度を示すためのＲ（赤）、Ｇ（緑）、Ｂ（青）それぞれの映像信号の組合せで構成される任意の色の映像信号を映像信号制御部４で生成、映像変換部２を通して投射される。
【００１５】
この投射された映像信号は光出力検出部５に投射され、光出力検出部５からこの映像信号に応じた三刺激値、もしくは三刺激値に変換可能な情報が出力される。
【００１６】
この情報をホワイトバランス制御部６が受け取り、目標値記憶装置部８に予め記録されたホワイトバランス、輝度情報と比較され、映像のホワイトバランス、輝度を制御するための情報が算出される。この算出された映像の色、輝度を制御するための情報をガンマ補正値と呼び、Ｒ（赤）、Ｇ（緑）、Ｂ（青）それぞれのガンマ補正値が存在する。ガンマ補正値はガンマ補正値記憶装置部７に記録され、テレビジョン信号などを表示する際、映像信号制御部４で使用される。このことにより、本発明の液晶型映像表示装置は、輝度がどのように変化しても、目標のホワイトバランスを手に入れることが出来る。
このホワイトバランス、及び輝度の制御方法のフローチャートを図３に示す。
ここに示すホワイトバランス、及び輝度の制御方法の詳細は、図２における構成での液晶型映像表示装置について記載する。
【００１７】
第１の工程により、ホワイトバランス制御（このホワイトバランス制御には、ガンマ補正値を生成するため、輝度制御についても同意で同時に行われる。）に必要な映像信号が映像変換部２に映像信号制御部４から供給される。
【００１８】
第２の工程により、この映像信号は出力映像信号としてスクリーン３に投射され取り付けられている光出力検出部５で三刺激値出力として、もしくは三刺激値に変換できる情報として検出される。この時、出力される映像信号はＲ（赤）、Ｇ（緑）、Ｂ（青）すべてが最大輝度を示す白映像信号、Ｒ（赤）、Ｇ（緑）、Ｂ（青）すべてが最小輝度を示す黒映像信号、Ｒ（赤）、Ｇ（緑）、Ｂ（青）それぞれの最大輝度を示すためのＲ（赤）、Ｇ（緑）、Ｂ（青）それぞれの映像信号とＲ（赤）、Ｇ（緑）、Ｂ（青）それぞれの最小輝度を示すためのＲ（赤）、Ｇ（緑）、Ｂ（青）それぞれの映像信号の間における複数ポイントの映像信号であり、これらの出力映像信号が上記、光出力検出部５で三刺激値出力として、もしくは三刺激値に変換できる情報として検出される。
【００１９】
第３の工程によりＧ（緑）の三刺激値のうちＹ刺激値を直線補完し、目標の輝度率特性に変換しＧ（緑）のガンマ補正値を演算する。その演算方法について以下に記述する。
【００２０】
まずは第３の工程の演算で使用する関数を定義する。
【００２１】
ホワイトバランス制御に必要な信号の内、最大輝度から最小輝度の間における映像信号を複数のPointに分ける。この複数のPointを0、1、2・・・n・・・n-max、
映像信号制御部４の入力信号を       fi(n)、
映像信号制御部４の出力信号を       fo(n)、
Ｇ（緑）のガンマ補正値をG-Gamma(n)とする。
【００２２】
例えば映像信号制御部４に入力される信号が10bit、出力される信号が10bit、だと仮定しn-maxを64とすると、各入出力の10bitの信号を64等分したことになる。
上記例に拠れば、     fi(64)=1023
fo(64)=1023
ガンマ補正値は映像信号制御部４への入力信号fiに対する出力信号foのルックアップテーブルデータであるため、ガンマ補正適用後にはＧ（緑）の映像信号制御部４の出力信号fo(n)は数１に示すように表される。
【００２３】
【数１】
2009177569.tif 000003
【００２４】
また、目標値記憶装置部８に目標の輝度率特性が記録されている。輝度率特性とは映像信号制御部４に入力される信号fi(n)に対する、光出力検出部５で検出される白色信号の輝度の比率のことである。
【００２５】
ここで、上記第１の工程と第２の工程の内容を補足すると、第１の工程で出力される、ホワイトバランス制御に必要な映像信号制御部４から映像変換部２に供給される映像信号は各ＲＧＢの０Pointから“n-max”Pointまでの映像信号fo(n)であり、第２の工程で検出される離散的なデータとは、映像信号処理部で処理する信号のダイナミックレンジを０からn-maxまでの複数のポイントで離散的に分割した、すなわち信号レベルがPointごとに違う第１の工程で出力される映像信号fo(n)が、スクリーンに投射された光を光出力検出部５で測定したデータとなる。
【００２６】
測定で取得したＧ（緑）の三刺激値の内、Ｙ刺激値をLG(n)と定義する。LG(n)から０Point目の時の値LG(0)の値を差し引いたものを改めてL’G(n)とする。
L’G(n) は数２のように定義する。
【００２７】
【数２】
2009177569.tif 000004
【００２８】
この数２を元にＧ（緑）の三刺激値の内、Ｙ刺激値を代表としたＧ（緑）の透過率特性をftx(n)と定義し、Ｇ（緑）の透過率特性ftx(n)は数３に示すように表す。
【００２９】
【数３】
2009177569.tif 000005
【００３０】
(%)
目標の輝度率特性は入力信号をfi(n)とし  ft(n)(%)で表す。
以下の計算式に従い、目標の輝度率特性にＧ（緑）の三刺激値のＹ刺激値が変換する。Ｇ（緑）のガンマ補正値fo(n)はこの計算式にて求められる。
“n”Point目のガンマ補正値fo(n)を求めるときにft(n)とftx(n)を比較し場合分けを行う。計算はn =maxから下げる方向で計算をおこなう。
【００３１】
ftx(n)＞ft(n)の場合
ft(n)とftx(n-1)、ftx(n-2)……を比較して
ft(n)＞ftx(α)となるαの値を求める。    （ftx(n)＞ft(n)の逆転するところを探す）
Ｇ（緑）のガンマ補正値は、数４のように算出される。
【００３２】
【数４】
2009177569.tif 000006
【００３３】
ftx(n)＜ft(n)の場合
ft(n)とftx(n+1)、ftx(n+2)……を比較して
ft(n)＜ftx(β)となるβ値を求める。    (ftx(n)＜ft(n)の逆転するところを探す）
Ｇ（緑）のガンマ補正値は、数５のように算出される。
【００３４】
【数５】
2009177569.tif 000007
【００３５】
ftx(n)=ft(n)の場合
Ｇ（緑）のガンマ補正値は、数６のように算出される。
【００３６】
【数６】
2009177569.tif 000008
【００３７】
以上のように全てのポイントに対して３通りの場合分けをおこないＧ（緑）ガンマ補正値G-Gamma(n)を求める。同様の計算式を用い、“n”Point目のＧ（緑）の三刺激値を計算にて求めておく。ここでもとめた三刺激値はホワイトバランスの演算時に、基準となるデータとして使用する。
【００３８】
第４の工程により、Ｇ（緑）の特定の諧調“n”におけるＧ（緑）の三刺激値に対して、目標のホワイトバランスになるＲ（赤）とＢ（青）の三刺激値を直線補完して演算し、その三刺激値からＲ（赤）とＢ（青）のガンマ補正値を演算する。その演算方法について記述する。
【００３９】
まず、第４の工程の演算で用いるパラメータを定義する
演算を行っていくPoint“n”における目標のホワイトバランス値を示すＣＩＥ色度を、x(n)、y(n)とする。
【００４０】
一般にＣＩＥ色度ｘ、ｙと三刺激値Ｘ、Ｙ、Ｚの間には数７、数８の関係が成立している。
【００４１】
【数７】
2009177569.tif 000009
【００４２】
【数８】
2009177569.tif 000010
【００４３】
各調整Point“n”における”ホワイトバランスを示す色度値xo(n)、yo(n)は数９、数１０で表される。
【００４４】
【数９】
2009177569.tif 000011
【００４５】
【数１０】
2009177569.tif 000012
【００４６】
ここで、XRl、YRl、ZRlはＲ（赤）の三刺激値であり、lは第２の工程で得られたＲ（赤）の三刺激値を、foの最大分解能まで直線補完したデータとする。10bitであれば0から1023までの値である。
【００４７】
例えばn-max=64の場合、10bitの信号は64等分されたとして、10進数換算で16ごとのステップで分割されている。よってl(n)=16×nのデータは第２の工程により、測定されている。ここでl(n)=16×n以外の値、例えばl=24の三刺激値の値はl(1)=16の時の三刺激値とl(2)=32の時の三刺激値のちょうど真ん中のデータとなる。
【００４８】
同様に、XBm、YBm、ZBmはＢ（青）の三刺激値であり、mは第２の工程で得られたＢ（青）三刺激値を、foの最大分解能まで直線補完したデータとする。10bitであれば0から1023までの値である。よって第２の工程で得られた三刺激値のデータを、直線補完を用いてすべてのfoについてデータを演算させて求めた値となる。
【００４９】
Point“n”の緑色の三刺激値は第３の工程の演算によりすでに求まっているため固定値として扱うことが出来る。並び替えると数１１、数１２のように表す。
【００５０】
【数１１】
2009177569.tif 000013
【００５１】
【数１２】
2009177569.tif 000014
【００５２】
ＲＧＢの三色のパネルから出た光を混色して出力するプロジェクションの特性を考慮して上記数１１と数１２を以下の数１３と数１４のように演算する。このことにより低諧調を制度よく演算する。
【００５３】
【数１３】
2009177569.tif 000015
【００５４】
【数１４】
2009177569.tif 000016
【００５５】
上記、直線補完で求めたＲ（赤）とＢ（青）の三刺激値XRl、YRl、ZRlとXBm、YBm、ZBmを、すべて代入しPoint“n”の色度値を演算させる。
【００５６】
例えば入出力信号が10bitの場合、lとmは1024個のデータであり、算出されたホワイトバランスを示す色度値xo(n)、yo(n)は1024×1024の1048576個のデータとなる。但し、第２の工程で測定したPoint数n-maxがすでに1023Pointであればそれ以上の分解能を得ることは出来ない。入出力信号の分解能よりも小さなPointで第２の工程を測定する場合に直線補完を行う意味がある。
【００５７】
このようにして求めたxo(n)、yo(n)と目標のホワイトバランスを示す色度値x(n)、y(n)がどのくらい離れているかを確認するためにxo(n) 、yo(n)と目標のホワイトバランスを示す色度値x(n)、y(n)の距離を示す距離Δを数１５で算出する。
【００５８】
【数１５】
2009177569.tif 000017
【００５９】
上記数１５で求められた距離Δが最小値になる、lとmの組合せを選出する。各Point“n”それぞれにlとmが求まるため、Ｒ（赤）とＢ（青）のガンマ補正値をR-Gamma(n)、B-Gamma(n)とした場合、R-Gamma(n)、B-Gamma(n)は数１６、数１７で算出される。
【００６０】
【数１６】
2009177569.tif 000018
【００６１】
【数１７】
2009177569.tif 000019
【００６２】
これにより、Ｒ（赤）とＢ（青）のガンマ補正値が求まる。
これらの演算によりＲ（赤）、Ｇ（緑）、Ｂ（青）のガンマ補正値R-Gamma(n) 、G-Gamma(n) 、B-Gamma(n)がすべて求まったことになる。
【００６３】
第５の工程により、求まったこのガンマ補正値をガンマ補正記録装置部７に保存する。
ここに保存されたガンマ補正値は映像信号処理部４によって、ガンマ補正値は映像信号制御部４への入力信号fiに対する出力信号foのルックアップテーブルデータとして使用することにより、本発明の液晶型映像表示装置は、輝度がどのように変化しても、目標のホワイトバランスを手に入れることが出来る。
（実施の形態２）
実施の形態２では実施の形態１におけるホワイトバランスの調整・制御を行うためのガンマ補正値の演算を、より効率的に行うための方法について説明する。
【００６４】
実施の形態１と同じ構成の液晶型映像表示装置において、ホワイトバランスの調整・制御を行うためのガンマ補正値の演算を行う場合、より効率的に行うためのフローチャートを図４に示す。
【００６５】
第１の工程、第２の工程、第３の工程においては実施の形態１と同じ工程を行う。詳細は実施の形態１を参照のこと。
【００６６】
第４の工程により、Ｇ（緑）の特定の諧調“n”におけるＧ（緑）の三刺激値に対して、目標のホワイトバランスになるＲ（赤）とＢ（青）の三刺激値を直線補完せずに演算する。その演算方法について記述する。
【００６７】
まず、第４の工程の演算で用いるパラメータを定義する
演算を行っていくPoint“n”における目標のホワイトバランス値を示すＣＩＥ色度を、x(n)、y(n)とする。
【００６８】
一般にＣＩＥ色度ｘ、ｙと三刺激値Ｘ、Ｙ、Ｚの間には数１８、数１９の関係が成立している。
【００６９】
【数１８】
2009177569.tif 000020
【００７０】
【数１９】
2009177569.tif 000021
【００７１】
各調整Point“n”におけるホワイトバランスを示す色度値xo(n) 、yo(n)は数２０、数２１で表される。
【００７２】
【数２０】
2009177569.tif 000022
【００７３】
【数２１】
2009177569.tif 000023
【００７４】
ここで、XRn’ 、YR n’ 、ZR n’はＲ（赤）の三刺激値であり、n’は第２の工程で使用したPointのことである。  同様に、XBn”、YB n” 、ZB n”はＢ（青）の三刺激値であり、n”は第２の工程で使用したPointのことである。
【００７５】
Point“n”の緑色の三刺激値は第３の工程の演算によりすでに求まっているため固定値として扱うことが出来る。並び替えると数２２、数２３のように表す。
【００７６】
【数２２】
2009177569.tif 000024
【００７７】
【数２３】
2009177569.tif 000025
【００７８】
ＲＧＢの三色のパネルから出た光を混色して出力するプロジェクションの特性を考慮して上記数２２と数２３を以下の数２４と数２５のように演算する。このことにより低諧調を制度よく演算する。
【００７９】
【数２４】
2009177569.tif 000026
【００８０】
【数２５】
2009177569.tif 000027
【００８１】
上記、第２の工程で測定したＲ（赤）とＢ（青）の三刺激値XRn’ 、YR n’ 、ZR n’とXBn” 、YB n” 、ZB n”を、すべて代入しPoint“n”の色度値を演算させる。
【００８２】
このようにして求めたxo(n) 、yo(n)と目標のホワイトバランスを示す色度値x(n)、y(n)がどのくらい離れているかを確認するためにxo(n) 、yo(n)と目標のホワイトバランスを示す色度値x(n)、y(n)の距離を示す距離Δを数２６で算出する。
【００８３】
【数２６】
2009177569.tif 000028
【００８４】
上記数２６で求められた距離Δが最小値になる、n’とn”の組合せを選出する。各Point“n”それぞれにn’とn”が求まる。
【００８５】
補足として、第２の工程で測定したPointの最大値n-max、n’-max、n”-maxが、上記演算の制度において十分に大きい場合、例えば入出力の信号が10bitであった場合、各Pointの最大値n-max、n’-max、n”-maxが1024であれば以下の工程は必要ない。各Pointの最大値n-max、n’-max、n”-maxが64などの場合に以下の工程での意味がある。
【００８６】
上記数２６で求めた距離Δが、規定する数値よりも大きな場合、ホワイトバランスの演算が不十分と判断する。
【００８７】
第５の工程により、第４の工程で求めたＲ（赤）とＢ（青）のPoint n’とn”をセンターとして
n’± p  （pは規定の整数）
n”± q  （qは規定の整数）
のPointの三刺激値を直線補完で入出力信号の分解能を最大値として分割する。
その分割したPointの出力値をl’、m’として定義する。実施の形態１のl、mと同義。
ホワイトバランスを示す色度値xo(n) 、yo(n)を再度数２７、数２８で算出する。
【００８８】
【数２７】
2009177569.tif 000029
【００８９】
【数２８】
2009177569.tif 000030
【００９０】
このようにして求めたxo(n) 、yo(n)と目標のホワイトバランスを示す色度値x(n)、y(n)がどのくらい離れているかを確認するためにxo(n) 、yo(n)と目標のホワイトバランスを示す色度値x(n)、y(n)の距離を示す距離Δ’を数２９で算出する。
【００９１】
【数２９】
2009177569.tif 000031
【００９２】
上記数２９で求められた距離Δ’が最小値になる、l’とm’の組合せを選出する。各Point“n”それぞれにl’とm’が求まるため、Ｒ（赤）とＢ（青）のガンマ補正値をR-Gamma(n) 、B-Gamma(n)とした場合、R-Gamma(n)、B-Gamma(n)は数３０、数３１で算出される。
【００９３】
【数３０】
2009177569.tif 000032
【００９４】
【数３１】
2009177569.tif 000033
【００９５】
これにより、Ｒ（赤）とＢ（青）のガンマ補正値が求まる。
【００９６】
これらの演算によりＲ（赤）、Ｇ（緑）、Ｂ（青）のガンマ補正値R-Gamma(n) 、G-Gamma(n) 、B-Gamma(n)がすべて求まったことになる。直線補完を行う範囲を限定することにより、同じ精度で効率よくホワイトバランスの演算を行うことが出来る。
【００９７】
第６の工程により、求まったこのガンマ補正値をガンマ補正記録装置部７に保存する。
ここに保存されたガンマ補正値は映像信号処理部４によって、ガンマ補正値は映像信号制御部４への入力信号fiに対する出力信号foのルックアップテーブルデータとして使用することにより、本発明の液晶型映像表示装置は、輝度がどのように変化しても、目標のホワイトバランスを手に入れることが出来る。
【００９８】
さらにはこの方法を用いれば、ホワイトバランスの制御を行うガンマ補正値をより速く算出できる。
【００９９】
実施の形態１、実施の形態２の両方において、第２の工程で三刺激値を複数Point、離散的に測定する。この複数Pointは上記のようにn等分され測定Pointを決定することになっているが、ホワイトバランスの制御において調整時間の短縮を行うためには、nを小さくする。もしくはn等分したPointの内、必要とされるPointのみを抜き出して、等分ではなく、あるPoint近くは密に。あるPoint近くは粗に決定することで、必要な情報を効率的に収集し演算に利用することが出来る。
（実施の形態３）
実施の形態３では実施の形態１、実施の形態２においてホワイトバランスの調整・制御を行うためのガンマ補正値の演算行った後、演算結果が一定以上ずれていた場合に、あらかじめ準備しておいた調整補完用ガンマ補正値に置き換えることで、調整がずれてくるようなことがあっても見た目に自然な変化を保つことが出来る。この方法をフローチャート図５に示す。
【０１００】
第１の工程、第２の工程、第３の工程においては実施の形態１と同じ工程を行う。詳細は実施の形態１を参照のこと。
第４の工程により、Ｒ（赤）の三刺激値のうちＸ刺激値を直線補完し、目標の輝度率特性に変換し、Ｒ（赤）の調整補完用ガンマ補正値を演算する。
【０１０１】
演算の方法は第３の工程と同様であり、第３の工程がＧ（緑）の三刺激値のうちＹ刺激値を使用してＧ（緑）のガンマ補正値を演算したように、第４の工程ではＲ（赤）の三刺激値のうちＸ刺激値を使用して演算を行う。
【０１０２】
得られた結果はＲ（赤）の調整補完用ガンマ補正値として、後で使用するために一時的に保存しておく。
第５の工程により、Ｂ（青）の三刺激値のうちＺ刺激値を直線補完し、目標の輝度率特性に変換し、Ｂ（青）の調整補完用ガンマ補正値を演算する。
【０１０３】
演算の方法は第３の工程と同様であり、第３の工程がＧ（緑）の三刺激値のうちＹ刺激値を使用してＧ（緑）のガンマ補正値を演算したように、第４の工程ではＢ（青）の三刺激値のうちＺ刺激値を使用して演算を行う。
【０１０４】
得られた結果はＢ（青）の調整補完用ガンマ補正値として、後で使用するために一時的に保存しておく。
第６の工程により、実施の形態１の第４の工程もしくは実施の形態２の第４の工程と第５の工程と同様の演算にてＲ（赤）、Ｂ（青）のガンマ補正値R-Gamma(n)、B-Gamma(n)を求めていく。この工程の中で最終演算結果を求める時に使用する、距離の値（実施の形態１の数１５で求まる距離Δ、実施の形態２の数２６で求まる距離Δ’）の最小の値が、あらかじめ設定しておいた数値よりも大きい時のPoint“r”が、あらかじめ設定しておいたPointよりも大きい場合に、Point“r”より大きなPointのＲ（赤）のガンマ補正値 R-Gamma(n)の値を、第４の工程で求めたＲ（赤）の調整補完用ガンマ補正値に置き換える。同様にPoint“r”より大きなPointのＢ（青）のガンマ補正値B-Gamma(n)の値を、第５の工程で求めたＢ（青）の調整補完用ガンマ補正値に置き換える。
【０１０５】
第７の工程により、求まったこのガンマ補正値をガンマ補正記録装置部７に保存する。
ここに保存されたガンマ補正値は映像信号処理部４によって、ガンマ補正値は映像信号制御部４への入力信号fiに対する出力信号foのルックアップテーブルデータとして使用することにより、本発明の液晶型映像表示装置は、目標の輝度率特性がＬＣＤパネルの特性と合わずに、ホワイトバランスが目標の値からずれることがあっても、装置の最大輝度までのホワイトバランスを自然に変化させ、使用者に違和感を与えることがないホワイトバランスを手に入れることが出来る。
【産業上の利用可能性】
【０１０６】
本発明の液晶型映像表示装置は、輝度がどのように変化しても、目標のホワイトバランスを手に入れることが出来るという効果を有し、液晶型映像表示装置の映像制御の分野において有用である。
【図面の簡単な説明】
【０１０７】
【図１】本発明の液晶型映像表示装置の構成図
【図２】本発明の液晶型映像表示装置の構成図
【図３】本発明のホワイトバランスの制御方法のフローチャート
【図４】本発明のホワイトバランスの制御方法のフローチャート
【図５】本発明のホワイトバランスの補正方法のフローチャート
【符号の説明】
【０１０８】
１    光源
２    映像変換部
３    スクリーン
４    映像信号制御部
５    光出力検出部
６    ホワイトバランス制御部
７    ガンマ補正値記憶装置部
８    目標値記憶装置部
２０  映像表示部
【図１】
2009177569.tif 000034
【図２】
2009177569.tif 000035
【図３】
2009177569.tif 000036
【図４】
2009177569.tif 000037
【図５】
2009177569.tif 000038